(57)【要約】【課題】  平板部の周囲に側壁部が設けられた段ボール等で構成された紙製箱体を様々な場所において短時間で簡単に組み立てることができるようにし、保管時や輸送時に紙製箱体が嵩張るということもないようにする。【解決手段】  平板部１１の周囲に側壁部１２が設けられた紙製箱体１０において、側壁部相互が交差する角部を保持するにあたり、交差する角部における各側壁部を挿入させる挿入用凹部２１が形成されると共に、この挿入用凹部内に上記の各側壁部内に差し込む先端が鋭角になった差し込み部材２２が設けられた紙製箱体の角保持部材２０を用いた。【選択図】  図８
2007008489.tif 000002
【特許請求の範囲】
【請求項１】
平板部の周囲に側壁部が設けられた紙製箱体において、側壁部相互が交差する角部を保持するのに使用する紙製箱体の角保持部材であって、交差する角部における各側壁部を挿入させる挿入用凹部が形成されると共に、この挿入用凹部内に上記の各側壁部内に差し込む先端が鋭角になった差し込み部材が設けられたことを特徴とする紙製箱体の角保持部材。
【請求項２】
請求項１に記載の紙製箱体の角保持部材がプラスチック材料で一体成形されていることを特徴とする紙製箱体の角保持部材。
【発明の詳細な説明】
【技術分野】
【０００１】
この発明は、平板部の周囲に側壁部が設けられた段ボール等で構成された紙製箱体において、側壁部相互が交差する角部を保持するのに使用する紙製箱体の角保持部材に係り、上記の紙製箱体を様々な場所において短時間で簡単に組み立てることができるようにした点に特徴を有するものである。
【背景技術】
【０００２】
従来から物品等を保管し搬送するのに、段ボール等の紙製材料を使用し、平板部の周囲に側壁部を形成した紙製容器や紙製蓋体等の紙製箱体が広く利用されている。
【０００３】
ここで、このような紙製箱体を製造するにあたっては、一般に、図１に示すように、平板状になった紙製基材Ｓに平板部１１と側壁部１２とを形成するための折り目１３とこの折り目１３交互が交差して形成される角部における一方に折り目１３の部分に切込み１４を形成するようにしている。
【０００４】
そして、図２（Ａ），（Ｂ）に示すように、上記の折り目１３に沿って紙製基材Ｓを折り曲げて、平板部１１の周囲に側壁部１２を形成すると共に、上記の切込み１４が形成されて突出した側壁部１２の部分を隣接する他の側壁部１２に重ねるように折り曲げ、図３に示すように、このように側壁部１２相互が重なった部分をステープラ１５等により固定させて紙製箱体１０を製造するようにしている。
【０００５】
しかし、上記のように切込み１４が形成されて突出した部分を隣接する他の側壁部１２に重ねるように折り曲げ、この状態で、側壁部１２相互が重なった部分をステープラ１５等によって固定させる作業は面倒で、紙製箱体１０の生産効率が悪くなるという問題があった。また、上記のような作業を紙製箱体１０を使用する現場等で行うことが困難であるため、上記のような紙製箱体１０を組み立てた状態で保管したり輸送させたりする必要があり、紙製箱体１０の保管や輸送が嵩張り、これらのコストも高くつくという問題があった。
【発明の開示】
【発明が解決しようとする課題】
【０００６】
この発明は、平板部の周囲に側壁部が設けられた段ボール等で構成された紙製箱体における上記のような問題を解決することを課題とするものであり、上記のような紙製箱体を様々な場所において短時間で簡単かつ低コストで組み立てることができるようにし、保管時や輸送時に嵩張るということもないようにすることを課題とするものである。
【課題を解決するための手段】
【０００７】
この発明においては、上記のような課題を解決するため、平板部の周囲に側壁部が設けられた紙製箱体において、側壁部相互が交差する角部を保持するのに使用する紙製箱体の角保持部材として、交差する角部における各側壁部を挿入させる挿入用凹部が形成されると共に、この挿入用凹部内に上記の各側壁部内に差し込む先端が鋭角になった差し込み部材が設けられたものを用いるようにしている。
【０００８】
ここで、上記の角保持部材としては、例えば、プラスチック材料を用いて一体成形したものを用いることができる。
【発明の効果】
【０００９】
この発明における紙製箱体の角保持部材においては、紙製箱体の平板部の周囲に設けられた側壁部相互が交差する角部において、交差する各側壁部をそれぞれ挿入用凹部内に挿入させると共に、各挿入用凹部内に設けられた先端が鋭角になった差し込み部材を、この挿入用凹部内に挿入された各側壁部に差し込むようにする。
【００１０】
この結果、平板部の周囲に設けられた各側壁部がそれぞれ交差する角部において上記の角保持部材により保持されて紙製箱体が形成されるようになり、従来のものに比べて、紙製箱体を短時間で簡単に組み立てることができるようになると共に、この角保持部材により側壁部相互が交差する角部が保護され、物などがあたっても、この角部が変形したり破損したりするのが防止される。
【００１１】
また、この角保持部材を側壁部相互が交差する角部に取り付けるにあたり、挿入用凹部内に設けられた差し込み部材を、この挿入用凹部内に挿入された各側壁部に差し込むようにしたため、側壁部相互が交差する角部に取り付けられた上記の角保持部材が簡単に外れるということもない。
【００１２】
また、この発明においては、上記のように側壁部相互が交差する各角部に角保持部材を取り付けるだけで簡単に紙製箱体を形成できるため、紙製箱体を使用する場合以外は、紙製箱体を組み立てる前の平板の状態で保管して輸送させるようにし、使用にあたって紙製箱体を現場等で簡単に組み立てることができると共に、紙製箱体の使用後に上記の角保持部材を取り外して、紙製箱体を平板の状態に戻すことも簡単に行え、紙製箱体の保管や輸送が嵩張るということもなく、保管や輸送に要するコストも低減される。
【００１３】
また、上記の角保持部材として、プラスチック材料を用いて射出成形等で一体成形したものを用いると、角保持部材自体の製造コストも低減される。
【発明を実施するための最良の形態】
【００１４】
以下、この発明の実施形態に係る紙製箱体の角保持部材を添付図面に基づいて具体的に説明する。なお、この発明に係る紙製箱体の角保持部材は下記の実施形態に示したものに限定されず、発明の要旨を変更しない範囲において、適宜変更して実施できるものである。
【００１５】
この実施形態においては、図４に示すように、紙製箱体１０に使用する平板状の紙製基材Ｓとして、四角形状になった平板部１１とこの平板部１１の周囲に設けられる側壁部１２との間に折り目１３を形成すると共に、この折り目１３交互が交差する角部を切り取ったものを用い、上記の各折り目１３に沿って紙製基材Ｓを折り曲げて平板部１１の周囲に側壁部１２を立ち上げた場合に、図５に示すように、側壁部１２相互が交差する角部において、側壁部１２相互が単に接触するだけで重なり合わないようにしている。
【００１６】
ここで、紙製箱体１０に使用する紙製基材Ｓの材料としては、公知の紙製材料を用いることができ、例えば、段ボールや、合紙や、パルプにバインダーを加えて結着させると共に圧縮成形させたもの等を用いることができる。
【００１７】
また、この実施形態に係る角保持部材２０としては、図６（Ａ），（Ｂ）に示すように、上記の側壁部１２相互が交差する角部におけるそれぞれの側壁部１２を挿入させる一対の挿入用凹部２１，２１が直交するように設けられて鉤型状に形成されると共に、その上部内面２４から各挿入用凹部２１，２１の内部に向けて先端が鋭角になった差し込み部材２２が複数設けられ、さらに上記の挿入用凹部２１，２１の間を分離させるようにして補強リブ２３が設けられたものを用いている。
【００１８】
なお、上記の角保持部材２０を製造するにあたっては、例えば、ポリプロピレンやＡＢＳ等の強度の高い熱可塑性樹脂を用いて射出成形により一体成形することができる。
【００１９】
ここで、上記の角保持部材２０を使用して紙製箱体１０を組み立てるにあたっては、前記のように紙製基材Ｓに設けられた各折り目１３に沿って紙製基材Ｓを折り曲げて、図５に示すように、四角形状になった平板部１１の周囲において各側壁部１２を立ち上げ、四角環状になった側壁部１２を形成する。
【００２０】
次いで、図７及び図８に示すように、上記の角保持部材２０を上記の側壁部１２相互が交差する角部の上から、角保持部材２０における各挿入用凹部２１，２１内にそれぞれ交差する側壁部１２，１２を挿入させ、各挿入用凹部２１，２１内に設けられた上記の差し込み部材２２をそれぞれの挿入用凹部２１，２１内に挿入された各側壁部１２，１２に差し込むようする。
【００２１】
そして、図９に示すように、上記の角保持部材２０を上記のようにして側壁部１２相互が交差する４つの角部にそれぞれ取り付けて、紙製箱体１０を組み立てるようにする。
【００２２】
このようにすると、紙製箱体１０を組み立てることが簡単に行え、また上記の各角保持部材２０を取り外して、紙製箱体１０を平板の状態に戻すことも簡単に行えるようになる。
【００２３】
なお、この実施形態においては、角保持部材２０を用いて、四角形状になった平板部１１の周囲に４つの側壁部１２が設けられて、四角環状になった側壁部１２が形成された紙製箱体１０を組み立てる場合について説明したが、組み立てる紙製箱体１０の形状等は特に上記のような形状に限定されない。例えば、図１０に示すように、角保持部材２０を用いて、六角形状になった平板部１１の周囲に６つの側壁部１２が設けられて、六角環状になった側壁部１２が形成された紙製箱体１０を組み立てることも可能である。なお、この場合には、上記の角保持部材２０において、側壁部１２相互が交差する角部における角度に対応するようにして、それぞれの側壁部１２を挿入させる一対の挿入用凹部２１，２１間の角度を変更させるようにする。
【図面の簡単な説明】
【００２４】
【図１】従来の紙製箱体を製造するのに使用する紙製基材を示した概略平面図である。
【図２】従来の紙製箱体を製造する工程を示した概略平面図である。
【図３】従来の紙製箱体において、側壁部相互が重なった部分をステープラで固定させた状態を示した部分斜視図である。
【図４】この発明の実施形態において、紙製箱体を製造するのに使用する紙製基材を示した概略平面図である。
【図５】上記の実施形態において、紙製基材に設けられた各折り目に沿って紙製基材を折り曲げて、四角形状になった平板部の周囲に側壁部を立ち上げた状態を示した概略斜視図である。
【図６】上記の実施形態において使用する保持部材を示した概略斜視図及び概略底面図である。
【図７】上記の実施形態において、上記の角保持部材を側壁部相互が交差する角部に取り付ける前の状態を示した部分斜視図である。
【図８】上記の実施形態において、上記の角保持部材を側壁部相互が交差する角部に取り付けた状態を示した部分断面説明図である。
【図９】上記の実施形態において、上記の角保持部材を側壁部相互が交差する各角部に取り付けて紙製箱体を組み立てた状態を示した概略平面図である。
【図１０】上記の実施形態において、紙製箱体の形状を変更させた変更例を示した概略平面図である。
【符号の説明】
【００２５】
１０  紙製箱体
１１  平板部
１２  側壁部
１３  折り目
１４  切込み
２０  角保持部材
２１  挿入用凹部
２２  差し込み部材
２３  補強リブ
２４  上部内面
Ｓ  紙製基材
【図１】
2007008489.tif 000003
【図２】
2007008489.tif 000004
【図３】
2007008489.tif 000005
【図４】
2007008489.tif 000006
【図５】
2007008489.tif 000007
【図６】
2007008489.tif 000008
【図７】
2007008489.tif 000009
【図８】
2007008489.tif 000010
【図９】
2007008489.tif 000011
【図１０】
2007008489.tif 000012